(57)【要約】【課題】カードと接触する各カード接触端子の接点部を各外部接続端子に近づけることができるとともに、各カード接触端子の良好なばね特性を確保することができる。【解決手段】カード装着部９と、このカード装着部９に装着されたカード１３と接触可能な接点部６ａを有する複数のカード接触端子６と、これらのカード接触端子６の前方位置に配置され、外部の機器と接続可能な複数の外部接続端子７とを備え、各カード接触端子６を、接点部６ａが各外部接続端子７側に位置する片持ち梁状に形成するとともに、これらの各カード接触端子６の付け根部から延出され、これらの各カード接触端子６と各外部接続端子７との互いに対応するものを導通させる複数の導通部８を備えた構成にしてある。【選択図】図１
2007249379.tif 000002
【特許請求の範囲】
【請求項１】
カード装着部と、このカード装着部に装着されたカードと接触可能な接点部を有する複数のカード接触端子と、これらのカード接触端子の前方位置に配置され、外部の機器と接続可能な複数の外部接続端子とを備え、
上記各カード接触端子を、上記接点部が上記各外部接続端子側に位置する片持ち梁状に形成するとともに、
これらの各カード接触端子の付け根部から延出され、これらの各カード接触端子と上記各外部接続端子との互いに対応するものを導通させる複数の導通部を備えたことを特徴とするカードアダプタ装置。
【請求項２】
上記請求項１記載の発明において、
上記各導通部を、隣り合う上記カード接触端子の間に配置したことを特徴とするカードアダプタ装置。
【請求項３】
上記請求項１または２記載の発明において、
上記各カード接触端子と、上記各外部接続端子と、上記各導通部とは、一枚の金属板を打ち抜いて一体に形成して成ることを特徴とするカードアダプタ装置。
【請求項４】
上記請求項３記載の発明において、
上記各カード接触端子と、上記各外部接続端子と、上記各導通部を保持する絶縁性の保持部材と、この保持部材が組み付けられる枠体とを備えたことを特徴とするカードアダプタ装置。
【請求項５】
上記請求項４記載の発明において、
上記保持部材は、上記各外部接続端子を保持する第１保持部材と、上記各カード接触端子及び上記各導通部を保持する第２保持部材とから成り、これらの第１保持部材及び第２保持部材と、上記各外部接続端子、上記各カード接触端子、及び上記各導通部をインサート成形によって設けたことを特徴とするカードアダプタ装置。
【請求項６】
上記請求項４または５記載の発明において、
上記枠体は、この枠体に上記保持部材が組み付けられた状態における上記各カード接触端子と対向する位置に、開口を有するとともに、
この開口を塞ぐ金属製の薄板を備えたことを特徴とするカードアダプタ装置。
【請求項７】
上記請求項６記載の発明において、
上記薄板にＧＮＤ端子を導通接続させたことを特徴とするカードアダプタ装置。
【発明の詳細な説明】
【技術分野】
【０００１】
本発明は、小型化に好適なカードアダプタ装置に関する。
【背景技術】
【０００２】
この種の従来技術として、特許文献１に示されるものがある。この従来技術は、例えばＳＤカードが装着されるカード装着部に、ＳＤカードと接触可能な接点部を有する複数の接続端子、すなわちカード接触端子を備えるとともに、これらのカード接触端子の前方位置には、外部の機器に備えられるカードコネクタと接続可能な複数の接点パッド、すなわち外部接続端子を備えた構成になっている。上述の各カード接触端子と各外部接続端子の対応するものは導通接続されている。また、各カード接触端子は挿入口側に、すなわち各外部接続端子から離れる側に、ＳＤカードに接触する接点部が位置する片持ち梁形状に形成されている。
【特許文献１】特開２００４−１４５６７６公報
【発明の開示】
【発明が解決しようとする課題】
【０００３】
ところで昨今、カードアダプタ装置は、より小型化が求められている。しかし、このようにカードアダプタ装置が小型化されても、このカードアダプタ装置への装着が可能となる範囲内で、カードの長さ寸法を比較的長い寸法に設定したいという要望がある。上述した従来技術にあっては、カードと接続される各カード接触端子の接点部が、上述のように各外部接続端子から離れる側に位置していることから、カードアダプタ装置に装着されるカードの長さ寸法が短くなり、上述のような長さ寸法を長く設定したいという要望に応えることができない。
【０００４】
なお、この場合、各カード接触端子の長さ寸法を短くして、これらのカード接触端子の接点部を各外部接続端子に近づけ、これによってカードの長さ寸法を長く設定することが考えられる。しかし、このような構成にすると、各カード接触端子の長さ寸法が短くなることに伴ってこれらのカード接触端子のばね特性が劣化し、これらのカード接触端子とカードとの間に良好な接触圧を確保できなくなって、装置の信頼性が低下するという問題を生じてしまう。
【０００５】
本発明は、上述した従来技術における実状からなされたもので、その目的は、カードと接触する各カード接触端子の接点部を各外部接続端子に近づけることができるとともに、各カード接触端子の良好なばね特性を確保することができるカードアダプタ装置を提供することにある。
【課題を解決するための手段】
【０００６】
上記目的を達成するために、本発明は、カード装着部と、このカード装着部に装着されたカードと接触可能な接点部を有する複数のカード接触端子と、これらのカード接触端子の前方位置に配置され、外部の機器と接続可能な複数の外部接続端子とを備え、上記各カード接触端子を、上記接点部が上記各外部接続端子側に位置する片持ち梁状に形成するとともに、これらの各カード接触端子の付け根部から延出され、これらの各カード接触端子と上記各外部接続端子との互いに対応するものを導通させる複数の導通部を備えたことを特徴としている。
【０００７】
このように構成した本発明は、各導通部を介して各外部接続端子に導通させた各カード接触端子が、カードとの接点部が各外部接続端子側に位置する片持ち梁状に形成してあることから、これらのカード接触端子の接点部を各外部接続端子に近づけることができる。また、各導通部と接続される各カード接触端子の付け根部は、各外部接続端子から十分に離れた所定位置に配置することができ、これにより各カード接触端子の長さ寸法を比較的長く設定でき、良好なばね特性を確保することができる。
【０００８】
また、本発明は、上記発明において、上記各導通部を、隣り合う上記カード接触端子の間に配置したことを特徴としている。このように構成した本発明は、各導通部の引き回しを簡単な構造で実現できる。
【０００９】
また、本発明は、上記発明において、上記各カード接触端子と、上記各外部接続端子と、上記各導通部とは、一枚の金属板を打ち抜いて一体に形成して成ることを特徴としている。このように構成した本発明は、各カード接触端子と各外部接続端子と各導通部とを同時に形成でき、製作が簡単である。
【００１０】
また、本発明は、上記発明において、上記各カード接触端子と、上記各外部接続端子と、上記各導通部を保持する絶縁性の保持部材と、この保持部材が組み付けられる枠体とを備えたことを特徴としている。このように構成した本発明は、保持部材を枠体に組み付けることによって、各カード接触端子と各外部接続端子と各導通部を同時に所定位置に配置でき、組立を簡単に行うことができる。
【００１１】
また、本発明は、上記発明において、上記保持部材は、上記各外部接続端子を保持する第１保持部材と、上記各カード接触端子及び上記各導通部を保持する第２保持部材とから成り、これらの第１保持部材及び第２保持部材と、上記各外部接続端子、上記各カード接触端子、及び上記各導通部をインサート成形によって設けたことを特徴としている。このように構成した本発明は、各カード接触端子、各外部接続端子及び各導通部と、第１保持部材及び第２保持部材を簡単に製作することができる。
【００１２】
また、本発明は、上記発明において、上記枠体は、この枠体に上記保持部材が組み付けられた状態における上記各カード接触端子と対向する位置に、開口を有するとともに、この開口を塞ぐ金属製の薄板を備えたことを特徴としている。このように構成した本発明は、開口方向への各カード接触端子の撓みを許容させ、各カード接触端子の撓み量を確保することができるとともに、薄板によって各カード接触端子を含むカード装着部へのゴミ等の異物の侵入を防ぐことができる。また、金属製の薄板が強度部材を形成するので、外力による変形を生じる虞の少ない堅固な薄型化を実現できる。
【００１３】
また、本発明は、上記発明において、上記薄板にＧＮＤ端子を導通接続させたことを特徴としている。このように構成した本発明は、各カード接続端子を含むカード装着部の電気的保護を実現でき、静電気対策及びノイズ対策に有効である。
【発明の効果】
【００１４】
本発明は、各カード接触端子を、接点部が各外部接続端子側に位置する片持ち梁状に形成するとともに、この各カード接触端子の付け根部から延出され、この各カード接触端子と各外部接続端子との互いに対応するものを導通させる複数の導通部を備えたことから、各カード接触端子の接点部を各外部接続端子に近づけることができ、これによって小型化を実現させながらも、装着されるカードの長さ寸法を比較的長い寸法に設定できる。また、各カード接触端子の良好なばね特性を確保することができ、装着されたカードと各カード接触端子の接点部との間に、良好な接触圧を確保でき、信頼性の高い装置が得られる。
【発明を実施するための最良の形態】
【００１５】
以下，本発明に係るカードアダプタ装置を実施するための最良の形態を図に基づいて説明する。
【００１６】
［本実施形態の構成］
図１は本発明に係るカードアダプタ装置の一実施形態を示す分解斜視図、図２は本実施形態の斜視図、図３は本実施形態の裏側を示す斜視図である。
【００１７】
これらの図１〜３に示すように、本実施形態は、外殻を形成する下枠体１と、この下枠体１と接合される上枠体２とから成る枠体を備え、これらの下枠体１と上枠体２との間に端子ユニット３を収納させてある。また、上枠体２の開口２ａを塞ぐ金属製の薄板４を備え、この薄板４は端子ユニット３の上方に配置してある。
【００１８】
図４は本実施形態から上枠体及び薄板を除いた状態を示す平面図、図５は本実施形態の裏面図、図６は本実施形態から上枠体及び薄板を除いた状態を示す斜視図である。
【００１９】
図４，６に示すように、本実施形態は、後述する小型のカード１３が挿入される挿入口５を備えるとともに、挿入口５から挿入されたカード１３が装着されるカード装着部９を備えている。カード装着部９には、図４〜６に示すように、このカード装着部９に装着されたカード１３と接触可能な接点部６ａを有する複数のカード接触端子６を配置してある。これらのカード接触端子６の前方位置には、外部の機器に備えられたカードコネクタと接続可能な複数の外部接続端子７を配置してある。
【００２０】
図７は本実施形態に備えられる端子ユニットを示す斜視図、図８は端子ユニットの裏側を示す斜視図、図９は端子ユニットを拡大して示した平面図である。
【００２１】
本実施形態は特に、図７〜９に示すように、各カード接触端子６を、接点部６ａが外部接続端子７側に位置する片持ち梁状に形成してある。また、これらの各カード接触端子６の付け根部から延出され、これらの各カード接触端子６と各外部接続端子７との互いに対応するものを導通させる複数の導通部８を備えている。これらの各導通部８は、隣り合うカード接触端子６の間に配置してある。
【００２２】
上述した各カード接触端子６と、各外部接続端子７と、各導通部８とは、後述するように一枚の金属板１２の打ち抜き加工によって一体に形成されている。
【００２３】
また、本実施形態は、上述の各カード接触端子６と、各外部接続端子７と、各導通部８を保持する絶縁性の保持部材を備えている。この保持部材は、例えば各外部接続端子７を保持する第１保持部材１０と、各カード接触端子６及び各導通部８を保持する第２保持部材１１とから成っている。
【００２４】
これらの第１保持部材１０及び第２保持部材１１から成る保持部材と、上述の外部接続端子７、各カード接続端子６、及び導通部８とはインサート成形によって一体に形成されている。
【００２５】
外部接続端子７を保持する第１保持部材１０と、カード接触端子６及び導通部９を保持する第２保持部材１１とから成る保持部材は、上述した図４〜６に示すように、下枠体１に組み付けられる。このように第１保持部材１０及び第２保持部材１１が下枠体１に組み付けられることにより、各外部接続端子７、各カード接触端子６及び各導通部９が所定位置に配置される。すなわち、各カード接触端子６が図４等に示すカード装着部９に精度よく位置決めされる。
【００２６】
なお、上述した図１に示す上枠体２の開口２ａは、下枠体１に第１保持部材１０及び第２保持部材１１から成る保持部材が組み付けられた状態における各カード接触端子６と対向する位置に配置されている。
【００２７】
また、上枠体２の開口２ａを塞ぐ上述の薄板４は、図４〜９等に示すＧＮＤ端子７ａに導通接続させてある。
【００２８】
［端子ユニットの製作］
図１０は本実施形態に備えられる端子ユニットを製作する金属板を示す平面図、図１１は図１０に示す金属板にインサート成形をした後の状態を示す平面図である。
【００２９】
上述した端子ユニット３の製作に際しては、図１０に示すように一枚の金属板１２の所定箇所が打ち抜かれて、この金属板１２に、各カード接触端子用素材部１２ａと、各外部接続端子用素材部１２ｂと、各導通部用素材部１２ｃとが予め形成される。
【００３０】
このように形成された金属板１２にインサート成形によって、図１１に示すように上述の絶縁性の保持部材を形成する第１保持部材１０と、第２保持部材１１とが設けられる。第１保持部材１０は、各外部接続端子用素材１２ｂの位置に設けられ、第２保持部材１１は、各カード接触端子６及び各導通部８の位置に設けられる。
【００３１】
この図１１に示すようにインサート成形された構造体の所定箇所が、さらに打ち抜かれることによって上述の図７〜９等に示す端子ユニット３が出来上がる。
【００３２】
［本実施形態の動作］
図１２は本実施形態にカードが挿入された状態を示す図で、（ａ）図は要部側面図、（ｂ）図は側面側から見た要部斜視図、図１３は本実施形態のカード装着部にカードが装着された状態を示す図で、（ａ）図は要部側面図、（ｂ）図は側面側から見た要部斜視図である。
【００３３】
上述のように構成した本実施形態の挿入口５に、図１２に示すようにカード１３が挿入され、さらに押し込まれると、各カード接触端子６が撓められ、図１３に示すようにカード１３がカード装着部９に装着される。すなわち、カード１３と各カード接触端子６の接点部６ａとが接触する。この状態に至ると、各カード接触端子６、各導通部８、及び外部接続端子７を介して、カード１３と、本実施形態に係るカードアダプタ装置が装着される外部の機器との間で、信号の送受信が可能となる。
【００３４】
なお、カード１３が引き抜かれると、カード１３と各カード接触端子６の接点部６ａとの接触が解かれ、各カード接触端子６は自身のばね力によって、図１２等に示す初期位置に復帰する。
【００３５】
［本実施形態の効果］
以上のように構成した本実施形態によれば、各導通部８を介して各外部接続端子７に導通させた各カード接触端子６が、カード１３との接点部６ａが各外部接続端子７側に位置する片持ち梁状に形成してあることから、これらのカード接触端子６を各外部接続端子７に近づけることができる。これによって本実施形態に係るカードアダプタ装置の小型化を実現させながらも、カード１３の長さ寸法を比較的長い寸法に設定できる。
【００３６】
また、各導通部８と接続される各カード接触端子６の付け根部は、各外部接続端子７から十分に離れた所定位置に設置することができ、これにより各カード接触端子６の長さ寸法を比較的長く設定でき、これらの各カード接触端子６の良好なばね特性を確保できる。したがって、カード装着部９に装着されたカード１３と各カード接触端子６の接点部６ａとの間に、良好な接触圧を確保でき、信頼性の高い装置が得られる。
【００３７】
また、各カード接触端子６と各外部接続端子７とを導通させる各導通部８を、隣り合うカード接触端子６の間に配置したことから、各導通部８の引き回しを簡単な構造で実現でき、製作費を安くすることに貢献する。
【００３８】
また、各カード接触端子６を、各外部接続端子７と、各導通部８とを、図１０に示した一枚の金属板１２を打ち抜くことによって一体に形成したことから、これらの各カード接触端子６、外部接続端子７、及び各導通部８を同時に形成でき、製作が簡単である。このことも製作費を安くすることに貢献する。
【００３９】
また、各外部接続端子７を保持する第１保持部材１０と、各カード接触端子６及び各導通部８を保持する第２保持部材１１とから成る保持部材を、枠体を形成する下枠体１に組み付けることによって、各カード接触端子６と各外部接続端子７と各導通部８を同時に所定位置に位置決めでき、組立を簡単に行うことができる。このことも製作費を安くすることに貢献する。
【００４０】
また、第１保持部材１０及び第２保持部材１１と、各外部接続端子７、各カード接触端子６、及び各導通部８をインサート成形によって設けたことから、これらの第１保持部材１０及び第２保持部材１１と、各外部接続端子７、各カード接触端子６、及び各導通部２を簡単に製作できる。このことも製作費を安くすることに貢献する。
【００４１】
また、各カード接触端子６に対向する上枠体２の位置に開口２ａを設け、この開口２ａを塞ぐ金属製の薄板４を備えたことから、開口２方向への各カード接触端子６の撓みを許容させ、各カード接触端子６の撓み量を確保することができ、カード接触端子６の接点部６ａとカード１３との間の良好な接触圧の確保に貢献する。また、薄板４によって各カード接触端子６を含むカード装着部９へのゴミ等の異物の侵入を防ぐことができ、また、金属製の薄板４が強度部材を形成するので、外力による変形を生じる虞の少ない堅固な薄型化を実現できる。これらによって、信頼性の高い装置を実現させることができる。
【００４２】
また、薄板４にＧＮＤ端子７ａを導通接続させたことから、各カード接触端子６を含むカード装着部９の電気的保護を実現でき、静電気対策及びノイズ対策に有効である。このことも、信頼性の高い装置の実現に貢献する。
【図面の簡単な説明】
【００４３】
【図１】本発明に係るカードアダプタ装置の一実施形態を示す分解斜視図である。
【図２】本実施形態の斜視図である。
【図３】本実施形態の裏側を示す斜視図である。
【図４】本実施形態から上枠体及び薄板を除いた状態を示す平面図である。
【図５】本実施形態の裏面図である。
【図６】本実施形態から上枠体及び薄板を除いた状態を示す斜視図である。
【図７】本実施形態に備えられる端子ユニットを示す斜視図である。
【図８】本実施形態に備えられる端子ユニットの裏側を示す斜視図である。
【図９】本実施形態に備えられる端子ユニットを拡大して示した平面図である。
【図１０】本実施形態に備えられる端子ユニットを製作する金属板を示す平面図である。
【図１１】図１０に示す金属板にインサート成形をした後の状態を示す平面図である。
【図１２】本実施形態にカードが挿入された状態を示す図で、（ａ）図は要部側面図、（ｂ）図は側面側から見た要部斜視図である。
【図１３】本実施形態のカード装着部にカードが装着された状態を示す図で、（ａ）図は要部側面図、（ｂ）図は側面側から見た要部斜視図である。
【符号の説明】
【００４４】
１    下枠体
２    上枠体
２ａ  開口
３    端子ユニット
４    薄板
５    挿入口
６    カード接触端子
６ａ  接点部
７    外部接続端子
７ａ  ＧＮＤ端子
８    導通部
９    カード装着部
１０    第１保持部
１１    第２保持部
１２    金属板
１２ａ  カード接触端子用素材部
１２ｂ  外部接続端子用素材部
１２ｃ  導通部用素材部
１３    カード
【図１】
2007249379.tif 000003
【図２】
2007249379.tif 000004
【図３】
2007249379.tif 000005
【図４】
2007249379.tif 000006
【図５】
2007249379.tif 000007
【図６】
2007249379.tif 000008
【図７】
2007249379.tif 000009
【図８】
2007249379.tif 000010
【図９】
2007249379.tif 000011
【図１０】
2007249379.tif 000012
【図１１】
2007249379.tif 000013
【図１２】
2007249379.tif 000014
【図１３】
2007249379.tif 000015